【手続補正書】
【提出日】平成17年9月16日(2005.9.16)
【手続補正１】
【補正対象書類名】明細書
【補正対象項目名】特許請求の範囲
【補正方法】変更
【補正の内容】
【特許請求の範囲】
【請求項１】  像担持体と、
前記像担持体上に可視画像を形成する画像形成手段と、
前記像担持体上に形成された画像を、シート材に転写するシート材転写手段と、
前記シート材の前記シート材転写手段に対する搬送方向をレジストレーション実施位置で補正し、前記シート材を前記シート材転写手段へ搬送するレジストレーション手段と、
前記シート材を、前記レジストレーション手段に搬送する搬送手段と、
前記搬送手段上のシート材を検知する検知手段と、
前記検知手段がシート材を検知した後、前記検知手段の下流の所定位置でシートを一旦停止させるかどうかを判定し、前記搬送手段を制御する制御手段と、
を有し、
前記制御手段は、前記レジストレーション手段の駆動開始タイミングに対し、前記所定位置でシートを停止させたときの第一の待機時間と、前記レジストレーション手段のレジストレーション実施位置でシートを停止させたときの第二の待機時間とを加味して前記搬送手段を制御し、さらに前記検知手段がシート材を検知したタイミングと、前記レジストレーション手段の駆動開始タイミングとに応じて前記搬送手段を制御することを特徴とする画像形成装置。
【請求項２】  前記画像形成手段は、感光体と、前記感光体上に潜像を形成する潜像形成手段と、前記潜像を可視画像にする現像手段と、前記可視画像を前記像担持体に転写する像担持体転写手段を備えることを特徴とする請求項１記載の画像形成装置。
【請求項３】  前記制御手段は、前記検知手段がシート材を検知したときに、前記レジストレーション手段の駆動開始タイミングに対し、一旦停止せずに搬送を実施した場合、所定の到達タイミングよりも早くレジストレーション実施位置に到達すると判定される場合には、前記第二の待機時間を減らし、前記所定位置での一旦停止動作を実施するよう制御することを特徴とする請求項１記載の画像形成装置。
【請求項４】  前記制御手段は、前記検知手段がシート材を検知したときに、前記レジストレーション手段の駆動開始タイミングに対し、一旦停止せずに搬送を実施しても、レジストレーション手段へシート材が到達しないと判断した場合には、異常状態として搬送動作を中断するよう制御することを特徴とする請求項１または３記載の画像形成装置。
【請求項５】  像担持体と、
前記像担持体上に可視画像を形成する画像形成手段と、
前記像担持体上に形成された画像をシート材に転写するシート材転写手段と、
前記シート材を前記シート材転写手段に搬送するタイミングをレジストレーション実施位置で補正し、前記シート材を前記シート材転写手段へ搬送するレジストレーション手段と、
前記シート材を前記レジストレーション手段に搬送する搬送手段と、
前記搬送手段上のシート材を検知する検知手段と、
前記検知手段がシート材を検知した後、前記検知手段の下流の所定位置で一旦停止させるかどうかを判定し、前記搬送手段を制御する制御手段と、
を有し、
前記制御手段は、前記レジストレーション手段の駆動開始タイミングと、前記検知手段がシート材を検知したタイミングとに応じて、前記所定位置でシートを停止させたときの第一の待機時間と前記レジストレーション実施位置でシートを停止させたときの第二の待機時間の少なくとも一方を増減させて前記搬送手段を制御することを特徴とする画像形成装置。
【請求項６】  画像を坦持する像担持体と、
前記像担持体上に可視画像を形成する画像形成手段と、
前記像担持体上に形成された画像をシートに転写する転写手段と、
前記シートを給送する給送手段と、
前記給送手段により給送されたシートを前記転写手段へ搬送する搬送手段と、
前記給送手段と前記転写手段との間における所定位置及び前記所定位置と前記転写手段との間のレジストレーション位置においてシートを一時停止させるよう前記搬送手段を制御する制御手段と、
前記所定位置の上流に設けられ、シートを検知するセンサと、
を有し、
前記制御手段は、前記所定位置でシートを一時停止させると、前記像坦持体に形成された画像が前記転写装置へ到達するタイミングに前記シートが前記転写手段へ到達できないということを、前記センサのシート検知タイミングに基づいて判別した場合に、前記所定位置でシートを一時停止させないよう制御することを特徴とする画像形成装置。
【請求項７】  前記制御手段は、前記所定位置でシートを一時停止させることなくシートを搬送したとしても、前記像担持体に担持された画像が前記転写手段に到達するタイミングに前記転写手段にシートが到達できないと判別した場合、搬送動作の停止又は異常の報知を行うことを特徴とする請求項６記載の画像形成装置。
【手続補正２】
【補正対象書類名】明細書
【補正対象項目名】００２５
【補正方法】変更
【補正の内容】
【００２５】
（１）像担持体と、前記像担持体上に可視画像を形成する画像形成手段と、前記像担持体上に形成された画像を、シート材に転写するシート材転写手段と、前記シート材の前記シート材転写手段に対する搬送方向をレジストレーション実施位置で補正し、前記シート材を前記シート材転写手段へ搬送するレジストレーション手段と、前記シート材を、前記レジストレーション手段に搬送する搬送手段と、前記搬送手段上のシート材を検知する検知手段と、前記検知手段がシート材を検知した後、前記検知手段の下流の所定位置でシートを一旦停止させるかどうかを判定し、前記搬送手段を制御する制御手段と、を有し、前記制御手段は、前記レジストレーション手段の駆動開始タイミングに対し、前記所定位置でシートを停止させたときの第一の待機時間と、前記レジストレーション手段のレジストレーション実施位置でシートを停止させたときの第二の待機時間とを加味して前記搬送手段を制御し、さらに前記検知手段がシート材を検知したタイミングと、前記レジストレーション手段の駆動開始タイミングとに応じて前記搬送手段を制御することを特徴とする画像形成装置。
（２）像担持体と、前記像担持体上に可視画像を形成する画像形成手段と、前記像担持体上に形成された画像をシート材に転写するシート材転写手段と、前記シート材を前記シート材転写手段に搬送するタイミングをレジストレーション実施位置で補正し、前記シート材を前記シート材転写手段へ搬送するレジストレーション手段と、前記シート材を前記レジストレーション手段に搬送する搬送手段と、前記搬送手段上のシート材を検知する検知手段と、前記検知手段がシート材を検知した後、前記検知手段の下流の所定位置で一旦停止させるかどうかを判定し、前記搬送手段を制御する制御手段と、を有し、前記制御手段は、前記レジストレーション手段の駆動開始タイミングと、前記検知手段がシート材を検知したタイミングとに応じて、前記所定位置でシートを停止させたときの第一の待機時間と前記レジストレーション実施位置でシートを停止させたときの第二の待機時間の少なくとも一方を増減させて前記搬送手段を制御することを特徴とする画像形成装置。
（３）画像を坦持する像担持体と、前記像担持体上に可視画像を形成する画像形成手段と、前記像担持体上に形成された画像をシートに転写する転写手段と、前記シートを給送する給送手段と、前記給送手段により給送されたシートを前記転写手段へ搬送する搬送手段と、前記給送手段と前記転写手段との間における所定位置及び前記所定位置と前記転写手段との間のレジストレーション位置においてシートを一時停止させるよう前記搬送手段を制御する制御手段と、前記所定位置の上流に設けられ、シートを検知するセンサと、を有し、前記制御手段は、前記所定位置でシートを一時停止させると、前記像坦持体に形成された画像が前記転写装置へ到達するタイミングに前記シートが前記転写手段へ到達できないということを、前記センサのシート検知タイミングに基づいて判別した場合に、前記所定位置でシートを一時停止させないよう制御することを特徴とする画像形成装置。
【手続補正３】
【補正対象書類名】明細書
【補正対象項目名】００２６
【補正方法】削除
【補正の内容】
【手続補正４】
【補正対象書類名】明細書
【補正対象項目名】００２７
【補正方法】削除
【補正の内容】
【手続補正５】
【補正対象書類名】明細書
【補正対象項目名】００２８
【補正方法】削除
【補正の内容】
【手続補正６】
【補正対象書類名】明細書
【補正対象項目名】００２９
【補正方法】削除
【補正の内容】